(57)【要約】【課題】複数のネットワークに接続するネットワーク環境を活かしつつ、ネットワーク間でのセキュリティを向上させることができる画像処理システムを提供することをである。【解決手段】原稿から画像を読取る画像読取手段を有する画像処理装置と用紙に印刷を行う画像印刷手段を有する画像印刷装置と情報処理装置とを有する画像処理システムにおいて、前記画像処理装置が、第１のネットワークに接続する第１のネットワークＩ／Ｆ手段と、第２のネットワークに接続するための第２のネットワークＩ／Ｆ手段と、前記第１のネットワークに接続された情報処理装置と前記第２のネットワークに接続された情報処理装置とのルーティングを行うルーティング手段とをさらに有することを特徴とする。【選択図】　図１
2004139205.tif 000002
【特許請求の範囲】
【請求項１】
原稿から画像を読取る画像読取手段を有する画像処理装置と用紙に印刷を行う画像印刷手段を有する画像印刷装置と情報処理装置とを有する画像処理システムにおいて、
前記画像処理装置が、第１のネットワークに接続する第１のネットワークＩ／Ｆ手段と、第２のネットワークに接続するための第２のネットワークＩ／Ｆ手段と、前記第１のネットワークに接続された情報処理装置と前記第２のネットワークに接続された情報処理装置とのルーティングを行うルーティング手段とをさらに有する
ことを特徴とする画像処理システム。
【請求項２】
原稿から画像を読取る画像読取手段を有する画像処理装置と用紙に印刷を行う画像印刷手段を有する画像印刷装置と情報処理装置とを有する画像処理システムにおいて、
前記画像印刷装置が、第１のネットワークに接続する第１のネットワークＩ／Ｆ手段と、第２のネットワークに接続するための第２のネットワークＩ／Ｆ手段と、前記第１のネットワークに接続された情報処理装置と前記第２のネットワークに接続された情報処理装置とのルーティングを行うルーティング手段とをさらに有する
ことを特徴とする画像処理システム。
【請求項３】
原稿から画像を読取る画像読取手段を有する画像処理装置と用紙に印刷を行う画像印刷手段を有する画像印刷装置と情報処理装置とをネットワークで接続して構成される画像処理システムにおいて、
前記画像処理装置が、前記情報処理装置に提供する機能の制約を設定する提供機能設定手段をさらに有する
ことを特徴とする画像処理システム。
【請求項４】
原稿から画像を読取る画像読取手段を有する画像処理装置と用紙に印刷を行う画像印刷手段を有する画像印刷装置と情報処理装置とをネットワークで接続して構成される画像処理システムにおいて、
前記画像印刷装置が、前記情報処理装置に提供する機能の制約を設定する提供機能設定手段をさらに有する
ことを特徴とする画像処理システム。
【請求項５】
原稿から画像を読取る画像読取手段を有する画像処理装置と用紙に印刷を行う画像印刷手段を有する画像印刷装置と情報処理装置とをネットワークで接続して構成される画像処理システムにおいて、
前記画像処理装置が、前記ネットワークに接続された装置に対してサーバーとなるサーバー手段をさらに有する
ことを特徴とする画像処理システム。
【請求項６】
原稿から画像を読取る画像読取手段を有する画像処理装置と用紙に印刷を行う画像印刷手段を有する画像印刷装置と情報処理装置とをネットワークで接続して構成される画像処理システムにおいて、
前記画像印刷装置が、前記ネットワークに接続された装置に対してサーバーとなるサーバー手段をさらに有する
ことを特徴とする画像処理システム。
【請求項７】
前記サーバー手段が、少なくともウェブサーバー、メールサーバーおよびデータベースサーバーのいずれか１つのサーバーであることを特徴とする請求項５または６に記載の画像処理システム。
【発明の詳細な説明】
【０００１】
【発明の属する技術分野】
本発明は画像処理装置および画像処理システムに関し、詳しくは画像読取手段を有する画像処理装置およびこの画像処理装置と画像印刷装置や情報処理装置等とがネットワークで接続されて成る画像処理システムに関する。
【０００２】
【従来の技術】
従来から、画像が記録された原稿から画像を読取ってスキャナデータを得る画像読取手段を有するとともに、このスキャナデータに対して様々な画像処理を施す画像処理手段を備えたスキャナ装置等の画像処理装置が知られている。
【０００３】
また、ネットワークスキャナのようにこの画像処理装置をネットワークに接続することによって、同じネットワークに接続されたプリンタ等の画像印刷装置やパソコン（ＰＣ）等の情報処理装置との間で通信するネットワーク環境の画像処理システムが知られている。
【０００４】
さらに、このようなネットワークシステムとしては、複数のネットワークに接続することによって通信範囲を拡大し、利用価値のより高いシステムの構築が望まれる。
【０００５】
たとえば、特許文献１に記載された「印刷システムおよび印刷システム通信方法」は、複数のホストコンピュータと複数の印刷装置とを複数のネットワークによって接続するため装置内に複数の接続手段を設けており、相互間を有機的に接続（波形整形・増幅）し、リピータ機能を実現し、外部に新たなリピータ等の特別な接続装置を設ける必要性をなくしている。また、接続部を通して、ネットワーク上のコマンドを解析し自身も印刷処理を行う。
【０００６】
また、特許文献２に記載された「印刷装置、印刷システム、情報処理装置および印刷方法」は、複数のホストコンピュータと複数の印刷装置とをネットワーク・チェーン接続するために、２対の接続部を印刷装置内に設けており、この２つのネットワークを「接続するか否かを判断する機能」および「実際に接続を行う機能」を持っている。この「機能」の判断は、予め前後の印刷装置のコマンドにより決定される。また、接続部を通して、ネットワーク上のコマンドを解析し自身も印刷処理を行う。
【０００７】
さらに、特許文献３に記載された「画像形成システム、ジョブ送信方法、情報処理装置および記憶媒体」は、内部にラスタライズ処理機能を持ち、クライアントコンピュータからの指示に従って複数の画像形成装置によって印刷処理を行うシステムである。クライアントコンピュータと接続を行うためのパブリックな第１のネットワークと、複数の画像形成装置と接続を行うためのプライベートな１つ以上の第２のネットワークとを持つことにより、第１と第２のネットワークが分離され、第２のネットワークのトラフィックが緩和し、高いパフォーマンスの画像形成システムを構築している。
【０００８】
【特許文献１】
特開平７−３３４３２８号公報
【特許文献２】
特開平８−１３７６４１号公報
【特許文献３】
特開２００１−１３４３９０号公報
【発明が解決しようとする課題】
ところが、上述の従来技術においては、以下のような問題があった。
【０００９】
すなわち、特許文献１に記載された「印刷システムおよび印刷システム通信方法」では、情報伝達の制約手段がないため、複数のネットワークの各ネットワーク内やあるネットワークと別のネットワークとの間を流れる情報に制約がつけられないという問題があった。
【００１０】
また、特許文献２に記載された「印刷装置、印刷システム、情報処理装置および印刷方法」では、情報伝達の制約手段はあるが、相互間通信を用いて予めネゴシエーションを行い、プライベートおよびパブリック・ネットワーク間に情報を流すか否かをスイッチするものであり、従って、伝達される情報の内容によって情報伝達を制約することができないという問題があった。
【００１１】
さらに、特許文献３に記載された「画像形成システム、ジョブ送信方法、情報処理装置および記憶媒体」は、１つのラスタライザによって複数の印刷装置をコントロールするためのシステムに関するものであり、ラスタライザと印刷装置との間のデータ量が莫大になるために、パブリック・ネットワークを分離し、プライベート・ネットワークを構築し、ネットワークトラフィックの悪化を緩和しようとしている。従って、プライベート・ネットワーク側には、クライアントＰＣを配することを想定しておらず、プライベートおよびパブリック・ネットワーク間をいかに接続するかという観点での管理機能を持っておらずデータのセキュリティに関する考察はない。
【００１２】
本発明は上記の点にかんがみてなされたもので、複数のネットワークに接続するネットワーク環境を活かしつつ、ネットワーク間でのセキュリティを向上させることができる画像処理システムを提供することを目的とする。
【００１３】
【課題を解決するための手段】
本発明は上記の目的を達成するために、原稿から画像を読取る画像読取手段を有する画像処理装置と用紙に印刷を行う画像印刷手段を有する画像印刷装置と情報処理装置とを有する画像処理システムにおいて、前記画像処理装置が、第１のネットワークに接続する第１のネットワークＩ／Ｆ手段と、第２のネットワークに接続するための第２のネットワークＩ／Ｆ手段と、前記第１のネットワークに接続された情報処理装置と前記第２のネットワークに接続された情報処理装置とのルーティングを行うルーティング手段とをさらに有することを特徴とする。
【００１４】
また本発明は、原稿から画像を読取る画像読取手段を有する画像処理装置と用紙に印刷を行う画像印刷手段を有する画像印刷装置と情報処理装置とを有する画像処理システムにおいて、前記画像印刷装置が、第１のネットワークに接続する第１のネットワークＩ／Ｆ手段と、第２のネットワークに接続するための第２のネットワークＩ／Ｆ手段と、前記第１のネットワークに接続された情報処理装置と前記第２のネットワークに接続された情報処理装置とのルーティングを行うルーティング手段とをさらに有することを特徴とする。
【００１５】
また本発明は、原稿から画像を読取る画像読取手段を有する画像処理装置と用紙に印刷を行う画像印刷手段を有する画像印刷装置と情報処理装置とをネットワークで接続して構成される画像処理システムにおいて、前記画像処理装置が、前記情報処理装置に提供する機能の制約を設定する提供機能設定手段をさらに有することを特徴とする。
【００１６】
また本発明は、原稿から画像を読取る画像読取手段を有する画像処理装置と用紙に印刷を行う画像印刷手段を有する画像印刷装置と情報処理装置とをネットワークで接続して構成される画像処理システムにおいて、前記画像印刷装置が、前記情報処理装置に提供する機能の制約を設定する提供機能設定手段をさらに有することを特徴とする。
【００１７】
また本発明は、原稿から画像を読取る画像読取手段を有する画像処理装置と用紙に印刷を行う画像印刷手段を有する画像印刷装置と情報処理装置とをネットワークで接続して構成される画像処理システムにおいて、前記画像処理装置が、前記ネットワークに接続された装置に対してサーバーとなるサーバー手段をさらに有することを特徴とする。
【００１８】
また本発明は、原稿から画像を読取る画像読取手段を有する画像処理装置と用紙に印刷を行う画像印刷手段を有する画像印刷装置と情報処理装置とをネットワークで接続して構成される画像処理システムにおいて、前記画像印刷装置が、前記ネットワークに接続された装置に対してサーバーとなるサーバー手段をさらに有することを特徴とする。
【００１９】
また本発明は、請求項５または６に記載の発明において、前記サーバー手段が、少なくともウェブサーバー、メールサーバーおよびデータベースサーバーのいずれか１つのサーバーであることを特徴とする。
【００２０】
【発明の実施の形態】
以下、本発明の実施の形態を図面を参照して説明する。
【００２１】
図１は、本発明による画像処理システムの一実施の形態の構成を示すブロック図である。
【００２２】
図１に示すように、本実施の形態の画像処理システムは、画像処理装置１と、画像印刷装置２と、情報処理装置１１〜１６および２１〜２４と有し、画像処理装置１と情報処理装置１１〜１６とをネットワーク１０で接続し、画像処理装置１と画像印刷装置２と情報処理装置２１〜２４とをネットワーク２０で接続して構成される。
【００２３】
ここでは、内部的に閉じたネットワークであるプライベートネットワークおよびプライベートネットワークよりも広い範囲を接続するパブリックネットワークの２種類の概念を設けている。図１の実施の形態では、ネットワーク２０をプライベートネットワークとし、ネットワーク１０をパブリックネットワークとしている。プライベートネットワークは、たとえばビジタールームや会議室などの閉ざされた空間に配されている。また、本実施の形態では、画像印刷装置２はプライベートネットワーク上に配置されている。
【００２４】
本実施の形態では、パブリックネットワークであるネットワーク１０にシステム管理者用の情報処理装置が接続されているものとする。情報処理装置１１〜１６および２１〜２４としてはたとえばパソコンを用いることができる。
【００２５】
画像処理装置１は、後述の図２に示すように、画像が記録された原稿から画像を読取ってスキャナデータを出力する画像読取手段としてのスキャナ部３１を有し、画像印刷装置２は、後述の図３に示すように、用紙に画像形成する画像印刷手段としての画像形成部４６を有する。この画像処理装置１と画像印刷装置２とは一体化して用いることもでき、この場合には、ディジタル複写機等の画像形成装置としての機能を実現することができる。
【００２６】
図２は、図１に示した画像処理装置１の構成を示すブロック図である。
【００２７】
図２に示すように、画像処理装置１は、ユーザに対して情報表示を行ったりユーザが操作入力するための操作部３０と、原稿から画像を読み取ってスキャナデータを出力するスキャナ部３１と、スキャナ部３１からのスキャナデータをＰＤＬデータに変換する画像変換部３２と、図示しないローカル接続線とのインターフェースとなるローカル接続Ｉ／Ｆ部３３と、パブリックネットワークやプライベートネットワークとのインタフェースを制御するネットワークＩ／Ｆ制御部３４と、ネットワーク１０とのインターフェースとなり第１のネットワークＩ／Ｆ手段であるネットワークＩ／Ｆ部３４ａと、ネットワーク２０とのインターフェースとなり第２のネットワークＩ／Ｆ手段であるネットワークＩ／Ｆ部３４ｂと、ローカル接続Ｉ／Ｆ部３３やネットワークＩ／Ｆ部３４ａやネットワークＩ／Ｆ部３４ｂを介して入力されたＰＤＬデータを一時記憶するスプール部３５と、画像変換部３２からのＰＤＬデータやスプール部３５からのＰＤＬデータをラスタライズし、さらにＰＤＦデータに変換する画像処理部３６と、画像処理部３６からのＰＤＦデータに付随して出力される処理情報を解釈する処理解釈部３７と、処理解釈部３７からのデータを記憶する記憶部３８と、ネットワークシステムにおけるサーバーとしての役割を果たすサーバー手段としてのサーバー部３９とを有して構成される。サーバー部３９はデータベースサーバー、メールサーバー、ウェブサーバーとしての機能を有する。
【００２８】
画像処理装置１の画像処理部３６は、画像データをラスタライズしてラスタ画像を得るラスタライザとしての機能を有する。なお、本実施の形態においては、この画像処理部３６ではラスタライズしたラスタ画像をＰＤＦデータに変換するようにしているが、本発明はＰＤＦデータに限らず、汎用画像フォーマットデータに変換するものであればよい。汎用画像フォーマットとしては、ほかにポストスクリプト、ＴＩＦＦなどが挙げられ、一般に公開されているデータ形式であればよい。
【００２９】
次に、処理解釈部３７の動作について説明する。
【００３０】
スキャナ部１１によって画像データが入力された際には、ユーザが操作部３０によって、印刷の際にその画像データに対して施すべき処理の内容を入力することができ、この入力された処理情報が画像データに付随して処理解釈部３７に入力されることになる。また、ローカル接続Ｉ／Ｆ部３３やネットワークＩ／Ｆ部３４ａ、３４ｂを介して入力されたＰＤＬデータも画像データに対して施すべき処理の内容を含んでおり、この処理情報が画像データに付随して処理解釈部３７に入力されることになる。
【００３１】
この処理情報すなわち画像データに対して施すべき処理の内容としては、たとえば、画像を印刷する際に、画像のどのページを印刷するか、何部印刷するか、用紙に穴あけを行うか、用紙にステイプルを行うか、複数の画像を１枚の用紙に割り付けて印刷するか（面付け）などが挙げられる。
【００３２】
処理解釈部３７では、画像データ（本実施の形態ではＰＤＦデータ）を画像ファイルとして記憶部３８に保存し、処理情報を処理ファイルとして記憶部３８に保存する。なお、以下においては、このような画像ファイルと処理ファイルとの組み合わせを印刷ＪＯＢと呼ぶ。
【００３３】
なお、本実施の形態では、スキャナ部３１からのスキャナデータは、画像変換部３２によって一旦ＰＤＬデータに変換された後に、画像処理部３６によって汎用画像フォーマットデータ（ＰＤＦデータ）に変換するようにしているが、本発明はこれに限られるものではなく、ＰＤＬデータを経ずにスキャナデータから汎用画像フォーマットデータ（ＰＤＦデータ）に変換するようにしてもよい。
【００３４】
図３は、図１に示した画像印刷装置２の構成を示すブロック図である。
【００３５】
図３に示すように、画像印刷装置２は、ユーザに対して情報表示を行ったりユーザが操作入力するための操作部４０と、ネットワーク２０とのインターフェースとなるネットワークＩ／Ｆ部４１と、ネットワークＩ／Ｆ部４１を介して入力された画像ファイルおよび処理ファイルを記憶部４３に保存する画像処理部４２と、画像ファイルや処理ファイル等を記憶する記憶部４３と、記憶部４３から処理ファイルを読み出してその処理を解釈する処理解釈部４４と、画像を形成する用紙を給紙する給紙部４５と、用紙に画像形成する画像形成部４６と、画像形成した用紙を外部に排紙する排紙部４７とを有して構成される。
【００３６】
画像処理部４２では、処理解釈部４４の出力に基づき、画像の面付け等を考慮して用紙に実際に画像形成するイメージを生成し、画像形成部４６ではこれに基づいて用紙に画像形成を行う。
【００３７】
この画像印刷装置２では、汎用画像フォーマットデータ（この実施の形態ではＰＤＦデータ）が入力される場合にだけ対応し、ＰＤＬデータ等の他の形式のデータには対応する必要がないため、その分コストを低減することができる。
【００３８】
本実施の形態の画像処理システムでは、画像処理装置１においてルーティング（いわゆるゲートウェイ機能）を行い、その際にアクセス制約を行うことができる。この第１の実施例について以下に説明する。
【００３９】
この第１の実施例では、情報処理装置１１がシステム管理者用の端末装置であるものとし、情報処理装置１２がプロキシ・サーバーであるものとし、情報処理装置１３〜１６および２１〜２４がクライアントまたはサーバーＰＣであるものとする。
【００４０】
画像処理装置１は、システム管理者によってルーティングに関するアクセス制約が設定される。このとき、ネットワーク１０を経由してたとえば情報処理装置１１から設定を行うことも、画像処理装置１の操作部３０を用いて設定を行うこともできる。また、たとえば予め登録したパスワードによってログインした際に設定を行うことができるようにしてもよい。さらに、ネットワーク１０または２０に接続された装置のいずれかが有する記憶部に予めルーティングに関する設定を記憶しておき、画像処理装置１がこの記憶部に記憶された設定を自発的にアクセスして取得し、自装置に設定するようにしてもよい。
【００４１】
図４は、図１に示した画像処理装置１におけるルーティングに関する設定のテーブルの一例を示す図である。
【００４２】
このルーティングに関する設定は、ネットワーク１０に接続された情報処理装置１１〜１６と、ネットワーク２０に接続された情報処理装置２１〜２４との間の通信、すなわち、パブリックネットワークとプライベートネットワークとの間をルーティングするものである。
【００４３】
図４の例では、情報処理装置１１から情報処理装置２１〜２４に対する通信は可だが、逆は不可であり、情報処理装置１２と情報処理装置２１〜２４とは両方向通信可であり（情報処理装置１２がプロキシ・サーバーであるため）、情報処理装置１３〜１６と情報処理装置２１〜２４とは両方向通信不可である。
【００４４】
画像処理装置１のネットワークＩ／Ｆ制御部３４は、図４に一例を示したテーブルのアクセス制約にしたがってパブリックネットワークとプライベートネットワークとの間をルーティングする。これがルーティング手段である。
【００４５】
次に、本実施の形態の画像処理システムでは、ネットワーク１０または２０に接続された装置が画像処理装置１の機能を利用する際の制約（機能制約）を行うことができる。この第２の実施例について以下に説明する。
【００４６】
この第２の実施例では、情報処理装置１１がシステム管理者用の端末装置であるものとし、情報処理装置１２〜１６および２１〜２４がクライアントまたはサーバーＰＣであるものとする。
【００４７】
画像処理装置１は、システム管理者によって機能制約に関するアクセス制約が設定される。このとき、ネットワーク１０を経由してたとえば情報処理装置１１から設定を行うことも、画像処理装置１の操作部３０を用いて設定を行うこともできる。また、たとえば予め登録したパスワードによってログインした際に設定を行うことができるようにしてもよい。さらに、ネットワーク１０または２０に接続された装置のいずれかが有する記憶部に予め機能制約に関する設定を記憶しておき、画像処理装置１がこの記憶部に記憶された設定を自発的にアクセスして取得し、自装置に設定するようにしてもよい。
【００４８】
図５は、図１に示した画像処理装置１における機能制約に関する設定のテーブルの一例を示す図である。
【００４９】
この機能制約は、たとえば、各装置からの、画像処理装置１の記憶部３８に対するアクセスや、画像処理装置１が有する各種機能の使用可否について設定登録することができる。これが提供機能設定手段である。
【００５０】
図５の例では、情報処理装置１１はすべての機能を利用することができ、情報処理装置１２〜１６はすべての機能を利用することができず、情報処理装置２１〜２４はすべての機能を利用することができる。
【００５１】
画像処理装置１のネットワークＩ／Ｆ制御部３４は、図５に一例を示したテーブルの機能制約にしたがって、各装置からの、画像処理装置１の記憶部３８に対するアクセスや、画像処理装置１が有する各種機能の使用可否の許可を行う。
【００５２】
また、本実施の形態の画像処理システムでは、たとえば、情報処理装置２１が画像処理装置１の記憶部３８に対し、情報処理装置２２〜２４に受け渡すべきデータを格納する、データベースサーバー機能を提供する。このとき、図４や図５に示した設定がされているとすると、情報処理装置２２〜２４は記憶部３８に記憶されたデータを取得することができるが、情報処理装置１３〜１６は、記憶部３８へのアクセスが許されておらず、格納も取得も拒否される。
【００５３】
なお、本発明の画像処理システムは、図１に示した実施の形態以外にも様々な形態をとり得る。その例を以下に説明する。
【００５４】
図６は、本発明による画像処理システムの第２の実施の形態の構成を示すブロック図である。
【００５５】
図６に示すように、この第２の実施の形態では、画像処理装置１と画像印刷装置２とを一体化して画像形成装置とし、この画像形成装置によってネットワーク１０とネットワーク２０との接続を行っている。この形態でも上述した本発明の特徴を、同様に実現することができる。
【００５６】
図７は、本発明による画像処理システムの第３の実施の形態の構成を示すブロック図である。
【００５７】
図７に示すように、この第３の実施の形態では、画像処理装置１をネットワーク２０にのみ接続し、画像印刷装置２によってネットワーク１０とネットワーク２０との接続を行っている。この形態でも上述した本発明の特徴を、同様に実現することができる。
【００５８】
図８は、本発明による画像処理システムの第４の実施の形態の構成を示すブロック図である。
【００５９】
図８に示すように、この第４の実施の形態では、画像処理装置１のローカル接続Ｉ／Ｆ部３３に画像印刷装置２を接続している。この形態でも上述した本発明の特徴を、同様に実現することができる。
【００６０】
図９は、本発明による画像処理システムの第５の実施の形態の構成を示すブロック図である。
【００６１】
図９に示すように、この第５の実施の形態では、画像処理装置１のローカル接続Ｉ／Ｆ部３３に画像印刷装置２を接続し、画像印刷装置２によってネットワーク１０とネットワーク２０との接続を行っている。この形態でも上述した本発明の特徴を、同様に実現することができる。
【００６２】
図１０は、本発明による画像処理システムの第６の実施の形態の構成を示すブロック図である。
【００６３】
図１０に示すように、この第５の実施の形態では、図２に示した画像処理部３６の機能を有する画像処理部５０を新たに設け、この画像処理部５０によってネットワーク１０とネットワーク２０との接続を行い、画像処理部５０に画像処理装置１を接続し、画像処理装置１に画像印刷装置２を接続している。この形態でも上述した本発明の特徴を、同様に実現することができる。
【００６４】
また、上述の各実施の形態において、パブリックネットワークとプライベートネットワークとが逆になってもよいし、ネットワークは有線に限られない。
【００６５】
すなわち、本発明の構成の特徴は、画像処理システム（読み取り機能、印刷機能、ラスタライズ機能を併せ持つ）内の接続がどのような形態であってもよく、画像処理システムが２つ以上のネットワークを有することであり、この構成において上述の本発明の特徴が実現される。
【００６６】
【発明の効果】
以上説明したように、本発明によれば、複数のネットワークに接続するネットワーク環境を活かしつつ、ネットワーク間でのセキュリティを向上させることができる画像処理システムを提供することができる。
【００６７】
また本発明によれば、ビジタールームや会議室にプライベートネットワーク環境を構築することができ、このプライベートネットワークとパブリックネットワークとはゲートウェイ機能によって分離することができる。また、プライベートネットワーク環境に各種サーバー機能を提供することができる。
【００６８】
ところで、ビジタールームや会議室など閉ざされた環境においても、業務を効率よく遂行するために、ネットワークおよびそのネットワークに接続されたプリンタ・ＦＡＸ・コピアといったシステム機器が必要である。また、このような環境では特に、セキュリティの観点から、パブリックネットワークとは切り離された環境を作り出す必要がある。
【００６９】
本発明によれば、ビジタールーム内のプライベートネットワーク上からは、パブリックネットワークに対してアクセス制限を与えることにより、構内のセキュリティの確保を図ることができる（ビジタールームには、部外者が入室することを想定）。
【００７０】
また、パブリックネットワークから、会議室内のプライベートネットワークに対してアクセス制限を与えることにより、会議室内のセキュリティの確保を図ることができる（会議室では、秘守性が高い必要があることを想定）。
【００７１】
すなわち本発明は、これらを併せ持つ機器、システムであり、省スペース／省資源であることはもちろん、システム管理者にとって複雑な設定を必要としないサービスも提供することができる。
【００７２】
さらに、この機器、システムに各種サーバー機能を持たせることにより、より業務の効率化を図ることができる。たとえば、データベースサーバー機能を持たせることにより、一時的な共有のデータベースを用意に構築することができ、これまでＦＤ等の着脱可能な記録媒体によるデータ受け渡しを行なわれていた環境下においても、業務の効率改善を図ることができる。
【図面の簡単な説明】
【図１】本発明による画像処理システムの一実施の形態の構成を示すブロック図である。
【図２】図１に示した画像処理装置の構成を示すブロック図である。
【図３】図１に示した画像印刷装置の構成を示すブロック図である。
【図４】図１に示した画像処理装置におけるルーティングに関する設定のテーブルの一例を示す図である。
【図５】図１に示した画像処理装置における機能制約に関する設定のテーブルの一例を示す図である。
【図６】本発明による画像処理システムの第２の実施の形態の構成を示すブロック図である。
【図７】本発明による画像処理システムの第３の実施の形態の構成を示すブロック図である。
【図８】本発明による画像処理システムの第４の実施の形態の構成を示すブロック図である。
【図９】本発明による画像処理システムの第５の実施の形態の構成を示すブロック図である。
【図１０】本発明による画像処理システムの第６の実施の形態の構成を示すブロック図である。
【符号の説明】
１　画像処理装置
２　画像印刷装置
１０　パブリックネットワーク
２０　プライベートネットワーク
１１〜１６、２１〜２４　情報処理装置
３０　操作部
３１　スキャナ部
３２　画像変換部
３３　ローカル接続Ｉ／Ｆ部
３４　ネットワークＩ／Ｆ制御部
３４ａ、３４ｂ　ネットワークＩ／Ｆ部
３５　スプール部
３６　画像処理部
３７　処理解釈部
３８　記憶装置
３９　サーバー部
４０　操作部
４１　ネットワークＩ／Ｆ部
４２　画像処理部
４３　記憶装置
４４　処理解釈部
４５　給紙部
４６　画像形成部
４７　排紙部
５０　画像処理部
【図１】
2004139205.tif 000003
【図２】
2004139205.tif 000004
【図３】
2004139205.tif 000005
【図４】
2004139205.tif 000006
【図５】
2004139205.tif 000007
【図６】
2004139205.tif 000008
【図７】
2004139205.tif 000009
【図８】
2004139205.tif 000010
【図９】
2004139205.tif 000011
【図１０】
2004139205.tif 000012